(57)【要約】【課題】本発明は、本物のみみず、ゴカイ、岩虫等の挙動に似た動きをさせて好調な釣果を得ることのできる疑似餌を提供することを課題とする。【解決手段】本発明は、釣りに用いる疑似餌であって、釣り糸Ｌに接続される頭部２と、該頭部２に一端が連結された胴部３とを備え、前記胴部３は、伸縮自在、且つ迂曲自在に構成されるとともに、釣り糸Ｌの引きにより、頭部２を介して引かれた際に該引きに抗する抵抗が生じて伸長状態になる一方、抵抗が解除された際に、伸長状態から弾性力により復元するように構成されたことを特徴とする。【選択図】          図１
2004329059.tif 000002
【特許請求の範囲】
【請求項１】
釣りに用いる疑似餌であって、釣り糸（Ｌ）に接続される頭部（２）と、該頭部（２）に一端が連結された胴部（３）とを備え、前記胴部（３）は、伸縮自在、且つ迂曲自在に構成されるとともに、釣り糸（Ｌ）の引きにより、頭部（２）を介して引かれた際に、該引きに対する抵抗が生じて伸長状態になる一方、抵抗が解除された際に、伸長状態から弾性力により復元するように構成されたことを特徴とする疑似餌。
【請求項２】
胴部（３）は、一端部が頭部（２）に連結されて螺旋状に形成された線材（６）で構成されてなる請求項１記載の疑似餌。
【請求項３】
胴部（３）は、弾性材料で形成された複数のひだ部（２０，２０…）が連なって構成されてなる請求項１記載の擬似餌。
【請求項４】
胴部（３）は、一端部が頭部（２）に連結された棒状の胴本体（３０）と、該胴本体（３０）の軸心方向に所定間隔を有して胴本体（３０）の外面から突出した複数の抵抗部（３１，３１…）とで構成され、胴本体（３０）は、弾性材料から形成されて軸心方向に伸縮自在に構成されてなる請求項１記載の疑似餌。
【請求項５】
胴部（３）の他端部に連結された尾部（７）を更に備え、尾部（７）は、釣り糸（Ｌ）の引きにより頭部（２）に連設された胴部（３）を介して引かれた際に、該引きに抗する抵抗力が作用するように構成されてなる請求項１乃至４の何れかに記載の疑似餌。
【請求項６】
尾部（７）は一対の抵抗板（８ａ，８ｂ）を有し、各抵抗板（８ａ，８ｂ）は、胴部（３）の中心線と直交する仮想線を基準にして略対称に配置されて一端側が胴部（３）に接続されるとともに、互いの他端同士を離間させて設けられてなる請求項５記載の疑似餌。
【請求項７】
抵抗板（８ａ，８ｂ）のそれぞれは、他端側の幅が胴部（３）の外径より広く設定され、しかも、前記互いの他端同士の間隔が、胴部の外径より広く設定されてなる請求項６記載の疑似餌。
【請求項８】
頭部（２）は、釣針（Ｈ）が取り付けられ、該釣針（Ｈ）を介して釣り糸（Ｌ）に接続されてなる請求項１乃至７の何れかに記載の疑似餌。
【発明の詳細な説明】
【０００１】
【発明の属する技術分野】
本発明は、釣りに用いる疑似餌に関する。
【０００２】
【従来の技術】
従来から、釣り用の疑似餌として種々形態のものが提案されており、その一つとして、みみず、ゴカイ、岩虫等の態様に形成したもの（いわゆるワーム）がある。
【０００３】
これらのワームは、ゴムや軟質樹脂等を所定の外径で略棒状に成形したものであり、一端部（頭部に相当する部位）に釣り糸の括り付けられた釣針が取り付けられて用いられる。
【０００４】
該ワームは、キャスティングされた後に釣り糸がリールによって巻き取られることで、水中の地表面（以下、底という）上で移動させ、あたかも底上を這って移動する「みみず」、「ゴカイ」、「岩虫」等であるように見せかけて魚を誘い出し、当該魚を釣り上げるものである（特許文献１参照）。
【０００５】
【特許文献１】
特開平１０−２６２５００号公報
【０００６】
【発明が解決しようとする課題】
しかしながら、上記構成のワームは、ゴムや軟質樹脂等を一本の棒状に成形したものであるため、本物のみみず、ゴカイ、岩虫等のように底上で全長方向に伸縮して移動させることができず、また体を迂曲させたりするのに限界がある。
【０００７】
その為、近年における釣りブームで警戒心の増した魚を、ワームで釣り上げるには、高度な釣りテクニックだけでは対応できない場合があり、釣果が低調となる場合があった。
【０００８】
そこで、本発明は、斯かる実情に鑑み、本物のみみず、ゴカイ、岩虫等の挙動に似た動きをさせて好調な釣果を得ることのできる疑似餌を提供することを課題とする。
【０００９】
【課題を解決するための手段】
本発明にかかる疑似餌は、請求項１記載の如く、釣りに用いる疑似餌であって、釣り糸Ｌに接続される頭部２と、該頭部２に一端が連結された胴部３とを備え、前記胴部３は、伸縮自在、且つ迂曲自在に構成されるとともに、釣り糸Ｌの引きにより、頭部２を介して引かれた際に、該引きに対する抵抗が生じて伸長状態になる一方、抵抗が解除された際に、伸長状態から弾性力により復元するように構成されたことを特徴とする。なお、ここで「抵抗」とは、水の流れによる水流抵抗、水中の地表面（底）に対する接触による摩擦抵抗等を含む概念であり、「復元」とは、伸長状態から縮んで自然な状態に戻ることをいう。
【００１０】
上記疑似餌によれば、水中における底に着地した状態で、底に胴部３の荷重が作用することとなる。そして、釣り糸Ｌが引かれて頭部２が移動（前進）した際に、胴部３と底との間に抵抗（摩擦や、床に形成された凹凸への係止状態等による抵抗）が生じ、該抵抗によって該胴部３が頭部２の移動に対して抗することとなる。
【００１１】
そうすると、胴部３が頭部２の移動に抗しているにも拘わらず釣り糸Ｌの引きにより頭部２が移動するので、胴部３は伸長状態になる。そして、胴部３と底との間で生じている抵抗（抵抗力）よりも釣り糸Ｌの引きによる頭部２の移動力（引っ張り力）が大きくなると、抵抗状態が解除され、伸長状態にある胴部３が弾性により縮むこととなる。したがって、釣り糸Ｌが引かれている間、当該疑似餌は、上記の如く、胴部３の伸縮を繰り返した状態で移動し、本物のみみず、ゴカイ、岩虫等の挙動に似た態様で移動することとなり、魚を効率良く誘い出すことができる。
【００１２】
また、該疑似餌は、底に到達する前に釣り糸が引かれた際に、胴部３に対して水の抵抗が生じて当該胴部３が伸長状態になる。したがって、釣り糸Ｌを引いたり、ゆるめたりすることで、胴部３が伸縮を繰り返すこととなり、底に到達するまでに魚を誘い出すことができる。
【００１３】
さらに、上記疑似餌の胴部３は、迂曲自在に構成されているので、ロッドを上手く操ることで、当該疑似餌の胴部３を蜷局状に巻いたり、波形に迂曲させたりすることができ、本物のみみず、ゴカイ、岩虫等の挙動に似た態様で動作させることができ、これによっても魚を効率良く誘い出すことができる。
【００１４】
また、請求項２記載の如く、胴部３は、一端部が頭部２に連結されて螺旋状に形成された線材６で構成されてなることが好ましい。なお、この場合の「弾性力」とは線材を螺旋状にすることで巻き中心方向で得られる力をいう。
【００１５】
このようにすれば、胴部３は一端から他端に向けて所定間隔（線材６の線径に相当する間隔）を有して複数の間隙が形成されることになるので、疑似餌が底に着地すると、胴部３は、線材６の複数の部分が底に接触した状態となる。そして、釣り糸Ｌが引かれて頭部２が移動（前進）すると、胴部３（底に接触した線材６の各部分）と底との間で抵抗が生じ、該抵抗の弱い部分から順次抵抗状態が解除され螺旋状に形成された線材６（胴部３）は、当該線材６の巻き中心線方向に伸びる一方で、釣り糸Ｌの引きによる頭部２の移動力（引っ張り力）が大きくなって抵抗状態が完全に解除されると、当該胴部３自身の弾性力により伸長状態にある胴部３が縮むこととなる。
【００１６】
したがって、釣り糸Ｌが引かれている間、当該疑似餌は、上記の如く、胴部３の伸縮を繰り返した状態で移動することとなり、本物のみみず、ゴカイ、岩虫等の挙動に似た態様で移動することとなり、魚を効率良く誘い出すことができる。
【００１７】
また、該疑似餌は、底に到達する前に釣り糸が引かれた際に、螺旋状に形成された線材６間（間隙）等に当該胴部３の形状（線材６の巻き形状）に対応した水の流れが生じ、この水の流れによって生じた線材６（胴部３）における水の抵抗により当該胴部３自体が巻き中心方向に伸びることとなる。したがって、釣り糸Ｌを引いたり、ゆるめたりすることで、胴部３が伸縮を繰り返すこととなり、底に到達するまでに魚を誘い出すことができる。
【００１８】
さらに、上記疑似餌の胴部３は、上述の如く、螺旋状に形成された線材６で構成されて迂曲自在となっているため、ロッドを上手く操ることで、当該疑似餌の胴部３を蜷局状に巻いたり、波形に迂曲させたりすることができ、本物のみみず、ゴカイ、岩虫等の挙動に似た態様で動作させることができ、これによっても魚を効率良く誘い出すことができる。
【００１９】
また、請求項３記載の如く、胴部３は、弾性材料で形成された複数のひだ部２０，２０…が連なって構成されてもよい。なお、ここで「ひだ」とは、Ｕ字状、Ｖ字状、コの字状等のような折り返された形状をいい、「連なって」とは、ひだ部２０の端部同士が直接連結された態様の他に、別途設けた接続部を介してひだ部２０，２０…の端部同士を間接的に連結した態様を含む概念である。
【００２０】
このようにしても、胴部３は、一端から他端に向けて複数の間隙が外周面上に形成された態様となり、疑似餌が底に着地すると、胴部３は、複数箇所（複数のひだ部２０）が底に接触した状態となる。そして、釣り糸Ｌが引かれて頭部２が移動（前進）すると、胴部３（底に接触した線材６の各部分）と底との間で抵抗（摩擦や、床に形成された凹凸への係止状態等による抵抗）が生じる。
【００２１】
そして、さらに釣り糸Ｌが引かれて引っ張り力が大きくなると、複数のひだ部２０，２０…のうちの床との抵抗が小さい部分から抵抗状態が解除され、ひだ部２０の両端が離間するように各ひだ部２０が順次変形し、当該胴部３が一端から他端にかけて伸びることとなる。そして、胴部３の抵抗状態が完全に解除されると、ひだ部２０の弾性力が作用して、各ひだ部２０の両端同士が接近し、伸長状態にある胴部３が縮むこととなる。
【００２２】
したがって、胴部３を上記構成にしても、釣り糸Ｌを引いている間、胴部３の伸縮を繰り返した状態で移動することとなり、本物のみみず、ゴカイ、岩虫等の挙動に似た態様で移動することとなり、魚を効率良く誘い出すことができる。
【００２３】
また、該疑似餌は、底に到達する前に釣り糸Ｌが引かれた際に、各ひだ部２０の両端部間（複数の間隙）に水の流れが生じ、この水の流れによって生じた水の抵抗によりひだ部２０が変形して当該胴部３が伸びる一方、釣り糸Ｌの引きをゆるめた際に、ひだ部２０の両端部間での水の流れがなくなって抵抗状態が解除され、ひだ部２０の弾性によって胴部３が縮むことになる。したがって、釣り糸Ｌと引いたり、ゆるめたりすることで、胴部３を伸縮させることができ、底に到達するまでに魚を誘い出すことができる。
【００２４】
さらに、上記疑似餌は、胴部３を構成するひだ部２０が、弾性材料で形成されているので、ロッドを巧みに操れば、ひだ部２０を変形させて胴部３を迂曲させることができ、当該疑似餌の胴部３を蜷局状に巻いたり、波形に迂曲させたりすることができる。したがって、本物のみみず、ゴカイ、岩虫等の挙動に似た態様で動作させることができ、これによっても魚を効率良く誘い出すことができる。
【００２５】
また、請求項４記載の如く、胴部３は、一端が頭部２に連結された棒状の胴本体３０と、該胴本体３の軸心方向に所定間隔を有して胴本体３０の外面から突出した複数の抵抗部３１，３１…とで構成され、胴本体３０は、弾性材料から形成されて軸心方向に伸縮自在に構成してもよい。
【００２６】
このようにしても、釣り糸Ｌが引かれ、水中の底に着地した疑似餌の頭部２が移動（前進）した際に、胴部３を構成する複数の抵抗部３１，３１…と底との間に抵抗（摩擦や、床に形成された凹凸への係止状態等による抵抗）が生じる。
【００２７】
そして、さらに釣り糸Ｌが引かれて引っ張り力が大きくなると、底との抵抗の弱い何れかの部分（抵抗部３１）から順次抵抗状態が解除され、該抵抗の解除された抵抗部３１，３１…間の胴本体３０が順次軸心方向に伸びて、胴本体３０が伸長状態になる。そして、底と抵抗部３１の抵抗状態が完全に解除されると、胴本体３０の弾性により伸長状態にある胴本体３０（胴部３）が縮むこととなる。
【００２８】
したがって、胴部３を上記構成にしても、釣り糸Ｌを引いている間、胴部３の伸縮を繰り返した状態で移動することとなり、本物のみみず、ゴカイ、岩虫等の挙動に似た態様で移動することとなり、魚を効率良く誘い出すことができる。
【００２９】
また、該疑似餌は、底に到達する前に釣り糸Ｌが引かれた際に、各抵抗部３１，３１…間（複数の間隙）に水の流れが生じ、この水の流れによって生じる水の抵抗が各抵抗部３１，３１…に作用し、各抵抗部３１，３１間の胴本体３０が伸びて胴部３が伸長状態になる一方、釣り糸Ｌの引きを停止すると、各抵抗部３１，３１…に生じていた抵抗が解除され、胴本体３０の弾性によって当該胴本体３０が縮んで胴３が復元することになる。したがって、釣り糸Ｌを引いたり、ゆるめたりすることで、胴部３が伸縮を繰り返すこととなり、底に到達するまでに魚を誘い出すことができる。
【００３０】
さらに、上記疑似餌は、ロッドを上手く操ることで、弾性材料で形成された胴本体３０を変形させて、当該疑似餌の胴部３を蜷局状に巻いたり、波形に迂曲させたりすることができ、本物のみみず、ゴカイ、岩虫等の挙動に似た態様で動作させることができ、これによっても魚を効率良く誘い出すことができる
【００３１】
前記疑似餌は、請求項５記載の如く、胴部３の他端部に連結された尾部７を更に備え、尾部７は、釣り糸Ｌの引きにより頭部２に連設された胴部３を介して引かれた際に、該引きに抗する抵抗力が作用するように構成されることが好ましい。このようにすれば、頭部２が釣り糸Ｌに引かれた際の抵抗力が胴部３の他端側で大きく作用することとなるので、疑似餌を前記頭部２及び胴部３のみで構成した場合に比して胴部３の伸び量を大きくすることができる。
【００３２】
これにより、伸長状態の胴部３を復元させようとする胴部３自身の弾性力が大きくなるので、水の抵抗がある水中であっても、胴部３が確実且つ円滑に縮むこととなる。したがって、当該疑似餌は、メリハリのある動作をすることとなるので、魚の興味をいっそう引くことができる。
【００３３】
この場合、頭部２の移動（引っ張り力）に対して抵抗力を作用させる構成としては、尾部７に錘を設ける構成、鰭のように水の抵抗が作用する構成、底に引っかかるような構成等種々のものを採用することができる。これらの何れにおいても、釣り糸Ｌの引き力（頭部２の引っ張り力）が尾部７の抵抗力よりも大きくなった際に、伸長状態の胴部３を介して尾部７が引っ張られて抵抗状態が解除され、胴部３の弾性力によって尾部７が頭部２側に移動し、当該疑似餌を自然状態にすることができる。
【００３４】
また、上記疑似餌は、請求項６記載の如く、尾部７は一対の抵抗板８ａ，８ｂを有し、各抵抗板８ａ，８ｂは、胴部３の中心線と直交する仮想線を基準にして略対称に配置されて一端側が胴部３に接続されるとともに、互いの他端同士を離間させて設けられた構成を採用することができる。このようにすれば、一対の抵抗板８ａ，８ｂのそれぞれの面が頭部２の移動方向と交差するように配されるので、当該疑似餌が底に到達する前、或いは到達後に、釣り糸Ｌが引かれた場合に、各抵抗板８ａ，８ｂに水の抵抗が作用することとなり、この水の抵抗で胴部３の伸び量を大きくすることができる。
【００３５】
さらに、請求項７記載の如く、抵抗板８ａ，８ｂのそれぞれは、他端側の幅が胴部３の外径より広く設定され、しかも、前記互いの他端同士の間隔が、胴部の外径より広く設定された構成を採用することが好ましい。
【００３６】
キャスティングして底に到達した際の疑似餌の姿勢は、水の抵抗等により常に一定ではないが、抵抗板８ａ，８ｂの他端側の幅を胴部３の外径より広く設定するとともに、一対の抵抗板８ａ，８ｂの互いの他端同士の間隔を、胴部３の外径より広く設定することで、当該疑似餌が床に到達した際に抵抗板８ａ，８ｂの他端、或いは該他端の角部の何れかが底に接触することとなるので、当該疑似餌が如何なる姿勢であっても、頭部２が移動した際に、尾部７（抵抗板８ａ，８ｂ）と底との間で生じる摩擦（摩擦力）、引っかかり（耐引っ張り力）等の抵抗力で頭部２の移動に抵抗することができる。この場合においても、底に到達する前、或いは到達後に、釣り糸Ｌが引かれた場合に、抵抗板８ａ，８ｂに水の抵抗が作用させることができる。
【００３７】
また、請求項８記載の如く、頭部２は、釣針Ｈが取り付けられ、該釣針Ｈを介して釣り糸Ｌに接続されることが好ましい。このようにすれば、魚が当該疑似餌に食い付いて釣針Ｈに引っ掛かった際に、魚の引きが釣り糸Ｌを介してロッドに的確に伝わり、当たりに対して確実に合わせることができる。
【００３８】
【発明の実施の形態】
以下、本発明の第一実施形態にかかる疑似餌について、添付図面を参照して説明する。
【００３９】
図１は、本実施形態にかかる疑似餌１の側面図を示し、図２は当該疑似餌１の平面図を示している。かかる疑似餌１は、釣り糸Ｌに接続される頭部２と、該頭部２に連設された胴部３とを備えている。
【００４０】
前記頭部２は、釣り糸Ｌが接続される取付部４と、胴部３を連結する連結部５とで構成されている。
【００４１】
前記取付部４は、みみず、ゴカイ、岩虫等（以下、総称して単に餌という）の頭部に倣った態様に形成されている。該取付部４は、釣針Ｈが差し込まれて取り付けられており、該釣針Ｈが釣り糸Ｌに接続されることで、頭部２が釣針Ｈを介して釣り糸Ｌに接続されるようになっている。
【００４２】
前記連結部５は、前記取付部４に連設され、取付部４の外周より小径に設定された円柱状に形状設定されており、前記胴部３が外嵌可能に構成されている。したがって、当該頭部２は、段付き状をなしている。
【００４３】
前記胴部３は、螺旋状に形成された樹脂製の線材６で構成されたものであり、コイルバネのような態様をなして伸縮自在且つ迂曲（うねり曲がり）自在に構成されている。該胴部３は、巻き中心線方向から見て略円形となるように線材６が螺旋状に巻かれた態様で樹脂成形されたものであり、線材６の巻き径が一端側から他端側にかけて略一定になっている。
【００４４】
なお、胴部３は、線材６を螺旋状にすることで、伸縮自在、且つ迂曲自在で、巻き中心方向の伸びに対して自然状態に復元する弾性力が作用できるものであれば、材質を問わず、例えば、金属製の線材を螺旋状に巻いたものや、硬質樹脂製の線材を螺旋状に成形したもの等であってもよいが、外観や、腐食性、中心線方向の伸び量、引っ張り強度等を考慮すれば、やや伸縮性のある樹脂（例えば、軟質塩化ビニル、シリコン樹脂等）で構成することが好ましい。また、胴部３を構成する線材６の線形、巻き径、巻き数等は、線材６の材質特性（引っ張り強度、伸縮性、硬度等）や、必要とする胴部３の伸び量を考慮して設定される。
【００４５】
このように構成された胴部３は、一端部が頭部２の前記連結部５に外嵌された状態で、連結部５に接着されている。
【００４６】
該疑似餌１は、胴部３の他端部（螺旋状をなす線材６の他端部）に尾部７が更に連設されている。該尾部７は、釣り糸Ｌの引きによる水中での頭部２の移動（移動による引っ張り力）に抵抗する抵抗力が作用するように構成されている。すなわち、尾部７は移動時に生じる水の抵抗や、底との接触による摩擦等により、釣り糸Ｌが引かれて頭部２が移動し、胴部３が伸長状態となるまで移動せず、頭部２の移動、及び胴部３の伸びによる引っ張り力が尾部７の抵抗力（抵抗の限界）より大きくなった際に胴部３の弾性力により、尾部７が頭部２側に移動するように構成されている。
【００４７】
具体的には、該尾部７は、胴部３の他端部に連結される尾部連結部９と、該尾部連結部９に連設された一対の抵抗板８ａ，８ｂとで構成されている。
【００４８】
前記尾部連結部９は、胴部３の他端部に嵌入して接着される円柱状の嵌入部１０と、該嵌入部１０に略同心をなして一端が連結され、前記一対の抵抗板８ａ，８ｂが他端側に連結される円柱状の抵抗板連結部１１とで構成されている。
【００４９】
前記一対の抵抗板８ａ，８ｂは、一端が前記抵抗板連結部１１の他端部に連結され、互いの他端が離間した状態をなしており、該他端の幅Ｗが胴部３の外径Ｄより広くなるように設定されている。具体的には、一対の抵抗板８ａ，８ｂのそれぞれは、一端から他端に向けて幅が漸増して平面視略台形状に形状設定されている。該一対の抵抗板８ａ，８ｂは、胴部３の中心線と直交する仮想線を基準に対称に配されており、他端側の間隔が徐々に拡がって互いの他端同士の間隔Ｘが、胴部３の外径Ｄより広くなるように設定されている。
【００５０】
これにより、当該一対の抵抗板８ａ，８ｂは、胴部３の中心線方向から見て、各抵抗板８ａ，８ｂの他端及び、他端の両角部が、胴部３の外周面より外側に位置するようになっている。
【００５１】
以上構成からなる疑似餌１は、キャスティングを行い、図３（イ）に示す如く、当該疑似餌１が底Ａに到達すると、底Ａの形状に従って胴部３が迂曲（変形）するとともに、胴部３及び尾部７の抵抗板８ａ，８ｂが底Ａに接触することとなる。そして、リールで釣り糸Ｌを巻き取ることで水中の釣り糸Ｌが引かれ、この引きによって当該疑似餌１の頭部２が前進（移動）する際に、底Ａと胴部３及び尾部７の抵抗板８ａ，８ｂとの接触による摩擦、或いは引っかかりで抵抗が生じることとなる。
【００５２】
この際、胴部３及び尾部７の両方に上述の如く摩擦等の抵抗は生じるが、上述の如く、尾部７の抵抗板８ａ，８ｂの他端、及び他端の角部が胴部３の外周面より外側に位置しているので、尾部７（抵抗板８ａ，８ｂ）の抵抗の方が胴部３に比べて大きくなっている。
【００５３】
そのため、頭部２が移動した際に、尾部７における底Ａに対しての摩擦、或いは引っ掛かりにより、尾部７は、頭部２の移動による引っ張り力に抵抗してその場で維持し、図３（ロ）に示す如く、頭部２と尾部７を接続した胴部３が伸びることとなる。そして、頭部２の移動による引っ張り力、及び胴部３の弾性力の合力が、尾部７（抵抗板８ａ，８ｂ）の抵抗力より大きくなると、図３（ハ）に示す如く、尾部７は、抵抗状態が解除されて胴部３の弾性力により頭部２側に移動することとなる。
【００５４】
したがって、上記構成の疑似餌１は、リールによる釣り糸Ｌの巻き取りがなされて釣り糸Ｌが引かれている間、上述のような挙動を繰り返しながら移動することとなり、本物の餌の挙動に似た態様で動作することとなり、魚の警戒心を抑えて興味を引くことができ、好調な釣果を得ることができる。また、底Ａに到達する前に、釣り糸Ｌが引かれると、胴部３は線材６が螺旋状にされることにより、巻き中心方向に所定間隔を有して形成された複数の間隙（線材６間）に水の流れが生じ、これが抵抗となって胴部３が伸長状態となる。その一方で、釣り糸Ｌの引きをやめることで、抵抗が解除されて胴部３が弾性力で自然長に復元することとなり、この場合においても、魚の警戒心を抑えて興味を引くことができ、好調な釣果を得ることができる。
【００５５】
また、上記疑似餌１は、胴部３が螺旋状をなす線材６で構成されているため、胴部３が迂曲自在であり、ロッドを巧みに操れば、図４に示す如く、蜷局を巻いた態様にしたり、図５に示す如く、平面視で波形状に胴部３を曲げたりすることができ、本物の餌の挙動に似た態様にすることができる。したがって、この場合においても魚の警戒心を抑えて興味を引くことができるので、好調な釣果を得ることができる。
【００５６】
また、釣り糸Ｌの接続された釣針Ｈが頭部２に設けられているので、上述の如く、魚の興味を引いて当該疑似餌１に魚が食い付いた際には、その当たりを釣り糸Ｌを介してロッドに的確に伝えることができ、当たりを確実に認識することができる。
【００５７】
尚、本発明の疑似餌は、上記第一実施形態に限定されるものではなく、本発明の要旨を逸脱しない範囲内において種々変更を加え得ることは勿論である。
【００５８】
上記実施形態において、頭部２、胴部３、尾部７等を別体で構成し、それぞれ接着するようにしたが、本発明にかかる疑似餌１はこれに限定されるものではなく、頭部２、胴部３、尾部７を一体的に成形したものであってもよい。
【００５９】
上記実施形態において、胴部３の他端部に尾部７を連設したが、これに限定されるものではなく、頭部２及び胴部３のみで構成したものであってもよい。つまり、疑似餌１を頭部２及び胴部３のみで構成しても、胴部３が底に接触した状態で頭部２が引かれた際に胴部３と底Ａとの間に摩擦等の抵抗が生じる。
【００６０】
したがって、頭部２が移動した際に、胴部３が底Ａに接触することによる作用した抵抗力の弱い部分から抵抗状態が解除されて巻き中心方向に伸びることとなる。その一方で、頭部２の引っ張り力が胴部３の抵抗力よりも大きくなって胴部３の抵抗状態が完全に解除されると、胴部３（線材６を螺旋状にしたことによる弾性力）により胴部３（当該疑似餌１）が縮むこととなる。したがって、この場合においても、本物の餌の挙動と似た態様となって魚の興味を引くことができる。また、上記実施形態と同様に、蜷局を巻いた態様や、波状に胴部３を曲げた態様も可能となる。
【００６１】
上記実施形態において、尾部７に設けた抵抗板８ａ，８ｂの互いの他端の間隔を胴部３の外径Ｄより広く設定するとともに、該他端の幅を胴部３の外径Ｄより広くし、胴部３の中心線方向から見て当該抵抗板８ａ，８ｂの他端及び該他端の角部が、胴部３の外周面から外側に位置するようにしたが、これに限定されるものではなく、例えば、抵抗板８ａ，８ｂを方形状、或いは矩形状に形成し、抵抗板８ａ，８ｂの他端及び該他端の角部が胴部３の外周面より内側に位置するようにしてもよい。
【００６２】
このようにしても、一対の抵抗板８ａ，８ｂは、胴部３の中心線と直交する仮想線を基準に対象配置され、胴部３の中心線に対して交差方向に延出して設けられるので、頭部２が移動した際に、一対の抵抗板８ａ，８ｂに水の抵抗が生じることとなり、この抵抗力で頭部２の移動に対して抵抗させて、胴部３の伸縮量を大きくすることができる。
【００６３】
上記実施形態において、釣針Ｈを頭部２に取り付けたがこれに限定するものではなく、頭部２及び尾部７の少なくとも何れか一方に釣針Ｈを取り付けてもよい。したがって、釣針Ｈを尾部７にのみ取り付ける場合には、頭部２に釣り糸Ｌを括り付けて接続する接続部を設けることとなる。
【００６４】
上記実施形態において、頭部２の移動に対して抵抗力を生じさせるべく、尾部７に抵抗板８ａ，８ｂを設けたが、頭部２の移動に対して抵抗力を生じさせる構成はこれに限定されるものではなく、例えば、尾部７を所定重量の錘で構成したり、尾部７の一部に錘を取り付けたりした構成や、抵抗板８ａ，８ｂに代えて底に引っ掛かるような部材を取り付けた構成等を採用することができる。ただし、これらの構成を採用した場合には、所定の引っ張り力が生じた際に、頭部２の移動に対する抵抗状態が解除されるとともに、ねがかりが生じないように形状設定することは勿論のことである。
【００６５】
上記実施形態において、胴部３の外径、すなわち、線材６の巻き径が一端から他端に掛けて略均一に構成したが、これに限定されるものではなく、例えば、中心線方向の両端部の巻き径が中央部分の巻き径に比して小径に設定された、いわゆる、樽型コイルバネ状に形成したものや、頭部２側（一端側）の巻き径に比して、尾部７側の巻き径が小径な、いわゆる円錐コイルバネ状に形成したもの、中心線方向の両端部の巻き径が中央部分の巻き径に比して大径に設定された、いわゆる、鼓型コイルバネ状に形成したものなどであってもよい。
【００６６】
上記実施形態において、胴部３を構成する螺旋状の線材６は、中心線方向から見て略円形をなしていたが、これに限定されるものではなく、例えば、中心線方向からみて楕円状をなしたもの等であってもよい。つまり、螺旋状をなす線材６は、中心線方向に伸縮自在、且つ迂曲自在で、伸長状態から弾性力により略自然長に復元できれば、巻き形状は種々変更可能である。
【００６７】
また、上記実施形態にかかる胴部３は、線材６を一定の巻き方向で螺旋状に形成したが、これに限定されるものではなく、例えば、胴部３の巻き中心線方向の途中で線材６の巻き方向を切り替え、胴部３における頭部２側の半分の線材６を右巻き、或いは左巻きで螺旋状に形成し、胴部３における尾部７側半分の線材６を頭部２側の半分の線材６の巻き方向とは反対の巻き方向で形成したり、胴部３を形成する線材６の巻き方向を巻き中心方向の任意の複数箇所で切り替え、線材６を右巻きにした部分と、左巻きにした部分を交互に形成したりしてもよい。
【００６８】
上記実施形態にかかる胴部３は、線材６が螺旋状をなすように単に樹脂成形してものであるが、胴部３（線材６）の引っ張り強度を増すべく、例えば、線材６の内部に補強用の線状体（例えば、釣り糸Ｌのような引っ張り強度のある糸や、針金等）を埋設するようにしたり、線材６の外周面に補強用の樹脂被膜を形成したり、布を貼着したりして補強層を形成してもよい。このようにすれば、釣り上げの対象となる魚が大物であっても、頭部２や尾部７に比して細い線材６で形成された胴部３が食いちぎられてしまうといった事態を防止することができる。
【００６９】
次に本発明の第二実施形態にかかる疑似餌について説明する。なお、第一実施形態における構成に相当するものについては、同一符号及び同一名称を付すこととする。
【００７０】
図６は、本実施形態にかかる疑似餌１の側面図を示し、図７は、当該疑似餌１の平面図を示す。かかる疑似餌１は、釣り糸Ｌに接続される頭部２と、該頭部２に連設された胴部３とを備えている。
【００７１】
前記頭部２は、筒状をなしており、釣針Ｈが内周面側から突き刺した状態で取り付けられている。該釣針Ｈは、第一実施形態と同様に釣り糸Ｌが接続されるようになっている。
【００７２】
前記胴部３は、螺旋状をなす線材６により構成されており、該線材６の一端が前記頭部２の一端面に連結されている。該胴部３は、第一実施形態と同様に、中心軸方向に伸縮自在に構成されるとともに、迂曲自在に構成されており、伸長状態から螺旋状をなす線材６の弾性力により縮まって自然長に復元するようになっている。
【００７３】
具体的には、本実施形態にかかる疑似餌１は、円筒状をなす樹脂製のフレキシブルチューブを用いて形成されたものであり、フレキシブルチューブの両端部を除いて周壁を螺旋状に切断することで、当該フレキシブルチューブの一端部に前記頭部２を形成するとともに、該頭部２に一端が連結された前記螺旋状をなす線材６がフレキシブルチューブの両端部を除いた部分に形成されたものである。
【００７４】
該疑似餌１は、胴部３の他端に連設された尾部７を更に備えている。該尾部７は、第一実施形態と同様に、釣り糸Ｌの引きによる水中での頭部２の移動（移動による引っ張り力）に抵抗する抵抗力が作用するように構成されている。すなわち、尾部７は移動時に生じる水の抵抗や、底との接触による摩擦等により、釣り糸Ｌが引かれて頭部２が移動し、胴部３が伸長状態となるまで移動せず、頭部２の移動、及び胴部３の伸びにより引っ張り力が尾部７の抵抗力（抵抗の限界）より大きくなった際に胴部３の弾性力により、尾部７が頭部２側に移動するように構成されている。
【００７５】
具体的には、該尾部７は、胴部３の他端部に連結される尾部連結部９と、該尾部連結部９に連設された一対の抵抗板８ａ，８ｂとで構成されている。
【００７６】
前記尾部連結部９は、前記フレキシブルチューブの他端部で構成されている。したがって、上述の如く、両端部を除いてフレキシブルチューブの周壁を切断することで螺旋状の前記線材６が形成されているので、当該尾部連結部９は、線材６の他端に連結した状態となっている。
【００７７】
前記一対の抵抗板８ａ，８ｂは、前記尾部連結部９を介して前記胴部３に連設されている。前記一対の抵抗板８ａ，８ｂは、一端が前記抵抗板連結部１１の他端部に連結され、互いの他端が離間した状態をなしており、該他端の幅Ｗが胴部３の外径Ｄより広くなるように、一端から他端に向けて幅が漸増して平面視略台形状に形状設定されている。該一対の抵抗板８ａ，８ｂは、胴部３の中心線と直交する仮想線を基準に対称に配されており、他端側の間隔が徐々に拡がって互いの他端同士の間隔Ｘが、胴部３の外径Ｄより広くなるように設定されている。
【００７８】
該一対の抵抗板８ａ、８ｂについて詳しく説明すると、該一対の抵抗板８ａ，８ｂは、一枚の樹脂プレートで形成されている。該樹脂プレートは、両端が前記抵抗板８ａ，８ｂの他端を構成するように、両端部のそれぞれに抵抗板８ａ，８ｂを形成する略台形状の領域を有したものである。該樹脂プレートは、両端部の領域（抵抗板８ａ，８ｂとなる部分）が対向するように二つ折りに折り返されるとともに、両端同士の間隔が胴部３の外径Ｄよりも広くなるように、抵抗板８ａ，８ｂを形成する前記領域が外側に折り曲げられ、二つ折りにされて対向状態にある部分が前記尾部連結部９に嵌入して接着されている。これにより、前記一対の抵抗板８ａ，８ｂは、上述した態様で取り付けられている。なお、尾部連結部９は、フレキシブルチューブの他端部であるので、樹脂プレートを嵌入したときに、該樹脂プレートの形状に即して変形している。
【００７９】
以上構成からなる疑似餌を用いて釣りを行う場合においても、当該疑似餌が頭部２、螺旋状をなす線材６で構成された胴部３、頭部２の移動に対して抵抗力を作用させる尾部７が設けられているので、上述した第一実施形態と同様の作用、効果を奏することとなる。
【００８０】
尚、本発明の疑似餌は、上記第二実施形態に限定されるものではなく、本発明の要旨を逸脱しない範囲内において種々変更を加え得ることは勿論である。
【００８１】
上記実施形態において、頭部２の移動に対して抵抗力を生じさせるべく、尾部７に抵抗板８ａ，８ｂを設けたが、頭部２の移動に対して抵抗力を生じさせる構成はこれに限定されるものではなく、例えば、尾部連結部９に錘を取り付けた構成や、抵抗板８ａ，８ｂに代えて底に引っ掛かるような部材を取り付けた構成等を採用することができる。
【００８２】
上記実施形態において、当該疑似餌１の頭部２、胴部３、尾部連結部９を一本のフレキシブルチューブを用いて形成したが、これに限定されるものではなく、例えば、螺旋状をなす線材６で胴部３を構成し、線材６の一端に筒状の頭部２を連結するとともに、他端に筒状の尾部連結部９を有した構成を一体的に樹脂成形しても勿論よい。このように樹脂成形する場合には、一対の抵抗板８ａ，８ｂも一体的に成形してもよい。
【００８３】
上記実施形態において、胴部３の外径、すなわち、線材６の巻き径が一端から他端に掛けて略均一に構成したが、これに限定されるものではなく、例えば、中心線方向の両端部の巻き径が中央部分の巻き径に比して小径に設定された、いわゆる、樽型コイルバネ状に形成したものや、頭部２側（一端側）の巻き径に比して、尾部７側の巻き径が小径な、いわゆる円錐コイルバネ状に形成したもの、中心線方向の両端部の巻き径が中央部分の巻き径に比して大径に設定された、いわゆる、鼓型コイルバネ状に形成したものなどであってもよい。このようにすれば、線材６の巻き形状に対応して胴部３の外観形状を種々変更することができ、みみず、ゴカイ、岩虫等に似せたものだけでなく、底を這うように泳ぐ小魚に似たもの等にすることもできる。
【００８４】
上記実施形態において、胴部３を構成する螺旋状の線材６は、中心線方向から見て略円形をなしていたが、これに限定されるものではなく、例えば、中心線方向からみて楕円状をなしたもの等であってもよい。つまり、螺旋状をなす線材６は、中心線方向に伸縮自在、且つ迂曲自在で、伸長状態から弾性力により略自然長に復元できれば、巻き形状は種々変更可能である。
【００８５】
上記実施形態において、一対の抵抗板８ａ，８ｂを一枚の樹脂プレートで形成したが、これに限定されるものではなく、例えば、一対の抵抗板８ａ，８ｂのそれぞれを別個独立に形成し、それらを尾部連結部９に直接連結（接着）したものであっても勿論よい。
【００８６】
次に、本発明の第三実施形態にかかる疑似餌について説明する。なお、第一実施形態、及び第二実施形態において説明した構成と同一、或いはそれに相当する構成については、同一符号を付すこととする。
【００８７】
本実施形態にかかる疑似餌は、ゴムや軟質樹脂の如き伸縮性を有する弾性材料を一体的に成形したものである。該疑似餌は、図８及び図９に示す如く、釣り糸Ｌに接続される頭部２と、該頭部２に一端が接続された胴部３とを備えている。
【００８８】
前記頭部２は、第一実施形態、及び第二実施形態と同様に、釣針Ｈが差し込まれて取り付けられており、該釣針Ｈには、釣り糸Ｌが括り付けられている。
【００８９】
前記胴部３は、一端が頭部２に連結されている。該胴部３は、Ｕ字状に形成された複数のひだ部１０，１０…が連なった態様をなしている。具体的には、該胴部３は、複数のひだ部１０，１０…が当該胴部３の一端から他端に向け、胴部３の中心線を基準に互い違い（交互）に形成されており、胴部３の一端側のひだ部２０の一方の端部と、該ひだ部２０に対して胴部３の他端側で隣接するひだ部２０の一方の端部とが接続されて連続したＳ字状に形成されている。すなわち、胴部３は、複数のひだ部２０が連なって、いわゆる蛇腹状に形成されており、該複数のひだ部２０によって伸縮自在に構成されている。また、胴部３は、蛇腹状に構成することで一端から他端に向けて複数の間隙が外面に形成され、これによって水に対する抵抗、底に対する抵抗（引っかかり等による抵抗）が生じるようになっている。
【００９０】
該疑似餌１は、第一、及び第二実施形態と同様に、胴部３の他端部（螺旋状をなす線材６の他端部）に尾部７が更に連設されており、頭部２及び胴部３と一体的に成形されている。なお、尾部７については、第一、及び第二実施形態と同様の構成であるので、説明を割愛する。
【００９１】
以上構成からなる疑似餌１は、キャスティングを行って水中における底に到達すると、底の形状に従って胴部３が迂曲（変形）するとともに、胴部３及び尾部７の抵抗板８ａ，８ｂが底に接触することとなる。そして、リールで釣り糸Ｌを巻き取ることで水中の釣り糸Ｌが引かれ、この引きによって当該疑似餌１の頭部２が前進（移動）する際に、図１０に示す如く、底Ａと胴部３及び尾部７の抵抗板８ａ，８ｂとの接触による摩擦、或いは引っかかりで抵抗が生じることとなる。なお、この場合においても、第一及び第二実施形態と同様に、胴部３及び尾部７の両方に上述の如く摩擦等の抵抗は生じるが、上述の如く、尾部７の抵抗板８ａ，８ｂの他端、及び他端の角部が胴部３の外周面より外側に位置しているので、尾部７（抵抗板８ａ，８ｂ）の抵抗の方が胴部３に比べて大きくなっている。
【００９２】
そうすると、頭部２が移動した際に、尾部７における底Ａに対しての摩擦、或いは引っ掛かりにより、尾部７は、頭部２の移動による引っ張り力に抵抗してその場で維持する。胴部３を構成する複数のひだ部２０のうちの底Ａとの抵抗が弱い部分から当該抵抗が解除され、該抵抗が解除されたひだ部２０が撓んで胴部３が伸びることとなる。そして、頭部２の移動による引っ張り力、及び胴部３（主としてひだ部２０）の弾性力の合力が、尾部７（抵抗板８ａ，８ｂ）の抵抗力より大きくなると、尾部７は、抵抗状態が解除されて胴部３（ひだ部２０）の弾性力により頭部２側に移動することとなる。
【００９３】
したがって、上記構成の疑似餌１は、第一及ぶ第二実施形態と同様に、リールによる釣り糸Ｌの巻き取りがなされて釣り糸Ｌが引かれている間、上述のような挙動を繰り返しながら移動することとなり、本物の餌の挙動に似た態様で動作することとなる。したがって、魚の警戒心を抑えて興味を引くことができ、好調な釣果を得ることができる。また、底Ａに到達する前に、釣り糸Ｌが引かれると、胴部３に形成された複数の間隙（ひだ部２０の端部間）に水の流れが生じ、これが抵抗となって胴部３が伸長状態となる。その一方で、釣り糸Ｌの引きをやめることで、抵抗が解除されて胴部３がひだ部２０の弾性力で自然長に復元することとなり、この場合においても、魚の警戒心を抑えて興味を引くことができ、好調な釣果を得ることができる。
【００９４】
また、該疑似餌１の胴部３を構成するひだ部２０が弾性材料で構成されているため、胴部３が迂曲自在であり、ロッドを巧みに操れば、胴部３を蜷局を巻いた態様にしたり、平面視で波形状に胴部３を曲げたりすることができ、本物の餌の挙動に似た態様にすることができる。したがって、この場合においても魚の警戒心を抑えて興味を引くことができるので、好調な釣果を得ることができる。
【００９５】
尚、本発明の疑似餌は、上記第三実施形態に限定されるものではなく、本発明の要旨を逸脱しない範囲内において種々変更を加え得ることは勿論である。
【００９６】
胴部３を構成するひだ部２０，２０…は、Ｕ字状に形成したものに限定されるものではなく、Ｖ字状や、コの字状等の折り返された態様であればよい。したがって、胴部３は、弾性材料を棒状に形成したものに対して千鳥状に切り込みを入れて、複数のひだ部２０，２０…を形成するようにしてもよい。さらに、胴部３は、ひだ部２０，２０…が互い違いに配されたものに限定されるものではなく、単に並列に配したひだ部２０、２０…の端部同士を連結したものであってもよい。ようするに、各ひだ部２０，２０が両端を離間させて変形し得るように、該複数のひだ部２０，２０…を連結した態様で胴部３を形成すればよい。
【００９７】
上記実施形態において、複数のひだ部２０同士を直接接続して蛇腹状の胴部３形成したが、これに限定されるものではなく、例えば、胴部３のひだ部２０のみを弾性材料で形成し、該ひだ部２０同士を非弾性材料（例えば、硬質樹脂や金属）等で形成された接続部を介して接続するようにしてもよい。このようにしても、ひだ部２０の弾性により、胴部３を伸縮自在、且つ迂曲自在に構成することができる。
【００９８】
また、上記実施形態において、尾部７を設けたが、疑似餌１は尾部７を有するものに限定されるものではなく、頭部２と胴部３とで構成したものであってもよい。
【００９９】
次に、本発明の第四実施形態にかかる疑似餌について説明する。なお、第一実施形態、第二実施形態、及び第三実施形態において説明した構成に相当する構成については、同一符号を付すこととする。
【０１００】
かかる疑似餌は、図１１に示す如く、釣り糸Ｌに接続される頭部２と、該頭部２に連結された胴部３とを備えている。前記頭部２は、釣り糸Ｌの括り付けられた釣針Ｈが取り付けられており、釣り糸Ｌに接続されている。
【０１０１】
前記胴部３は、棒状に形成された胴本体３０と、該胴本体３０に対し軸心方向に所定間隔を有して胴本体３０の外面に突設された複数の抵抗部３１とで構成されている。
【０１０２】
前記胴本体３０は、弾性を有して伸縮性に富むゴム、或い軟質樹脂等の弾性材料で形成されており、軸心方向に伸縮自在に構成されている。
【０１０３】
前記複数の抵抗部３１は、胴部２０と一体的に成形されており、胴本体３０の軸心に中心を一致させた円板状に形成されて鍔状をなしている。
【０１０４】
上記構成の疑似餌１は、胴部２の他端部に尾部７が更に連設されており、頭部２及び胴部３と一体的に成形されている。なお、尾部７については、第一、第二及び第三実施形態と同様の構成であるので、説明を割愛する。
【０１０５】
以上構成からなる疑似餌１は、キャスティングを行って水中における底に到達すると、底の形状に従って胴部３が迂曲（変形）するとともに、胴部３（抵抗部３１の外周縁部）、及び尾部７の抵抗板８ａ，８ｂが底に接触することとなる。そして、リールで釣り糸Ｌを巻き取ることで水中の釣り糸Ｌが引かれ、この引きによって当該疑似餌１の頭部２が前進（移動）するのに対し、複数の抵抗部３１又は尾部７の抵抗板８ａ，８ｂの少なくとも一つが、底Ａとの接触による抵抗により頭部２の移動に抵抗することになる。
【０１０６】
そして、頭部２の移動による引き力が抵抗部３１及び抵抗板８ａ，８ｂの抵抗よりも大きくなると、図１２に示す如く、抵抗部３１又は抵抗板８ａ，８ｂのうち、抵抗の小さなものから順次抵抗状態が解除されて抵抗部３１，３１間の胴本体３０が軸心方向に伸びて胴部３が伸長状態になる。
【０１０７】
そして、抵抗板８ａ，８ｂ及び抵抗部３１，３１…の全ての抵抗状態が解除されると、胴本体３０の弾性により当該胴本体３０が縮んで胴部３が復元することになる。これにより、水中内の底Ａ上で疑似餌１を伸縮状態で這わすことができ、みみず、ゴカイ、岩虫等の挙動に似た態様で移動することとなり、魚を効率良く誘い出すことができる。
【０１０８】
また、上記構成の疑似餌１の胴部３は、棒状の胴本体３０に対して鍔状に形成された複数の抵抗部３１，３１…を備えているので、水中の底Ａに到達する前に釣り糸Ｌが引かれると、複数の抵抗部３１，３１…間（複数の間隙）に水の流れが生じ、抵抗部３１に抵抗が生じることになる。これにより、抵抗部３１，３１…間の胴本体３０が伸びることになる。その一方で、釣り糸Ｌを引くのをやめると、複数の抵抗部３１，３１…間での水の流れがなくなり、抵抗部３１，３１…に対する抵抗が解除された状態になって、胴本体３０が縮むことになる。
【０１０９】
これにより、疑似餌２０は、胴部３を伸縮させ、「水中に落ちたみみず、ゴカイ、岩虫等が悶えながら沈んでいくような態様」をリアルに表現することができる。したがって、当該疑似餌１で魚を効率よく誘いだすことができる。
【０１１０】
また、該疑似餌１の胴部３を構成する胴本体３０が弾性材料で構成されているため、胴部３（胴本体３０）が迂曲自在であり、ロッドを巧みに操れば、図１３に示す如く、胴部３を蜷局を巻いた態様にしたり、平面視で波形状に胴部３を曲げたりすることができ、本物の餌の挙動に似た態様にすることができる。したがって、この場合においても魚の警戒心を抑えて興味を引くことができるので、好調な釣果を得ることができる。
【０１１１】
尚、本発明の疑似餌は、上記第四実施形態に限定されるものではなく、本発明の要旨を逸脱しない範囲内において種々変更を加え得ることは勿論である。
【０１１２】
上記実施形態において、胴部３の胴本体３０と抵抗部３１，３１…を弾性材料で一体的に形成したがこれに限定されるものではなく、例えば、胴本体３０をゴム等の弾性材料で形成し、胴本体３０に硬質樹脂や金属等の高度を有する材料で構成して薄板円板状の抵抗部３１，３１を外嵌して固着するようにしてもよい。
【０１１３】
上記実施形態において、抵抗部３１，３１を円板状に形成したが、これに限定されるものではなく、例えば、胴本体３０の外周面に複数の線材や突起等を突設するようにしてもよい。
【０１１４】
また、上記実施形態において、尾部７を設けたが、疑似餌１は尾部７を有するものに限定されるものではなく、頭部２と胴部３とで構成したものであってもよい。このようにしても、胴本体３０の外面に設けた抵抗部３１で、水に対する抵抗、底Ａに対する抵抗を生じさせることができ、胴部３を伸縮させることが可能である。
【０１１５】
【発明の効果】
以上のように、本発明にかかる疑似餌によれば、釣りに用いる疑似餌であって、釣り糸に接続される頭部と、該頭部に一端が連結された胴部とを備え、前記胴部は、伸縮自在、且つ迂曲自在に構成されるとともに、釣り糸の引きにより、頭部を介して引かれた際に、該引きに抗する抵抗が生じて伸長状態になる一方、抵抗が解除された際に、伸長状態から弾性力により復元するように構成されているので、本物のみみず、ゴカイ、岩虫等の挙動に似た動きをさせて好調な釣果を得ることができる。
【図面の簡単な説明】
【図１】本発明の第一実施形態にかかる疑似餌の側面図を示す。
【図２】第一実施形態にかかる疑似餌の平面図を示す。
【図３】第一実施形態にかかる疑似餌の動作説明図であって、（イ）は、疑似餌が水中の底に到達した状態を示し、（ロ）は、釣り糸に引かれて頭部が移動する一方で、尾部がその移動に抗して胴部が伸びた状態を示し、（ハ）は、尾部（抵抗板）の抵抗状態が解除されて胴部が復元した状態を示す。
【図４】第一実施形態にかかる疑似餌の挙動を説明するための平面図を示す。
【図５】第一実施形態にかかる疑似餌の別の挙動を説明するための平面図を示す。
【図６】本発明の第二実施形態にかかる疑似餌の側面図を示す。
【図７】第二実施形態にかかる疑似餌の平面図を示す。
【図８】本発明の第三実施形態にかかる疑似餌の側面図を示す。
【図９】第三実施形態にかかる疑似餌の平面図を示す。
【図１０】第三実施形態にかかる疑似餌の側面図であって、胴部が伸長状態となった状態を示す。
【図１１】本発明の第四実施形態にかかる疑似餌の平面図を示す。
【図１２】第四実施形態にかかる疑似餌の側面図であって、胴部が伸長状態になった状態を示す。
【図１３】第四実施形態にかかる疑似餌の平面図であって、蜷局を巻いた態様の状態を示す。
【符号の説明】
１…疑似餌、２…頭部、３…胴部、４…取付部、５…連結部、６…線材、７…尾部、８ａ，８ｂ…抵抗板、９…尾部連結部、１０…嵌入部、１１…抵抗板連結部、２０…ひだ部、３０…胴本体、３１…抵抗部、Ｈ…釣針、Ｌ…釣り糸
【図１】
2004329059.tif 000003
【図２】
2004329059.tif 000004
【図３】
2004329059.tif 000005
【図４】
2004329059.tif 000006
【図５】
2004329059.tif 000007
【図６】
2004329059.tif 000008
【図７】
2004329059.tif 000009
【図８】
2004329059.tif 000010
【図９】
2004329059.tif 000011
【図１０】
2004329059.tif 000012
【図１１】
2004329059.tif 000013
【図１２】
2004329059.tif 000014
【図１３】
2004329059.tif 000015